(57)【要約】【課題】鉄道の駅ホームやコンコース等におけるワイヤレス放送装置において同軸ロスやハイインピーダンス化を解消することにより装置の能率向上を図り、監視カメラにおいて機器構成の簡素化と視認向上を図ることができる、鉄道用ワイヤレス放送装置を得る。【解決手段】ワイヤレス受信機とスピーカーを一体型にすることにより、アンテナからの同軸ケーブルを配線する必要がなく、更に、スピーカーと拡声アンプ間を長く配線する必要がないため、同軸ロスやハイインピーダンス化を解消することにより装置の能率向上を図れる。また、ワイヤレス受信機とスピーカー及び制御受信機と表示器及び監視カメラを一体型にすることにより、機器構成の簡素化が図れると共に、該監視カメラがパンチルトカメラの場合は角度制御が自由に行えるため視認向上が図れる。【選択図】        図１
2005014878.tif 000002
【特許請求の範囲】
【請求項１】
ワイヤレス放送装置（１）において、ワイヤレスマイクから発射される音声信号を受信するためのアンテナ（７）をワイヤレス受信部（２）に接続し、該ワイヤレス受信部（２）から出力される音声信号を音声スイッチ部（３）と音声コントロール部（４）に接続し、また、音声スイッチ部（３）から出力された音声信号を増幅するため拡声アンプ（５）及びスピーカー（６）を接続し、前記各ブロックを同一筐体内に収納して構成し、
また、音声コントロール部（４）から出力された音声信号と音声制御信号とを、音声制御ケーブル（８）を経由して複数のワイヤレス放送装置（１’）間に接続したことを特徴とする、鉄道用ワイヤレス放送装置。
【請求項２】
ワイヤレス放送装置（１）において、ワイヤレスマイクから発射される音声信号を受信するためのアンテナ（７）をワイヤレス受信部（２）に接続し、該ワイヤレス受信部（２）から出力される音声信号を音声スイッチ部（３）と音声コントロール部（４）に接続し、また、音声スイッチ部（３）から出力された音声信号を増幅するため拡声アンプ（５）及びスピーカー（６）を接続し、更に、音声リンク用のアンテナ（１１）を音声リンク用送信部（９）と音声リンク用受信部（１０）に接続し、音声コントロール部（４）から出力される音声リンク用の音声信号を音声リンク用送信部（９）に接続し、音声リンク用受信部（１０）から出力されるリンク用の音声信号を音声コントロール部（４）に接続し、前記各ブロックを同一筐体内に収納して構成したことを特徴とする、鉄道用ワイヤレス放送装置。
【請求項３】
ワイヤレスマイク（１２）において、制御信号をワイヤレス放送装置（２０）に送信するための制御用スイッチ（１３）を制御用送信部（１４）に接続し、該制御用送信部（１４）に制御送信用のアンテナ（１８）を接続し、また、音声信号をワイヤレス放送装置（２０）に送信するためのマイクユニット（１５）をマイクアンプ（１６）及びワイヤレス送信部（１７）に接続し、該ワイヤレス送信部（１７）に音声送信用のアンテナ（１９）を接続し、前記各ブロックを同一筐体内に収納して構成し、
また、ワイヤレス放送装置（２０）において、ワイヤレスマイク（１２）から発射される音声信号を受信するための音声受信用のアンテナ（２９）をワイヤレス受信部（２１）に接続し、該ワイヤレス受信部（２１）から出力される音声信号を音声スイッチ部（２２）と自動放送部（２３）に接続し、また、音声スイッチ（２２）から出力された音声信号を増幅するため拡声アンプ（２４）及びスピーカー（２５）を接続し、更に、ワイヤレスマイク（１２）から発射される制御信号を受信するための制御受信用のアンテナ（３０）を制御用受信部（２６）に接続し、該制御用受信部（２６）から出力される制御信号を放送コントロール部（２７）を経由して自動放送部（２３）と表示器（２８）に接続し、前記各ブロックを同一筐体内に収納して構成したことを特徴とする、鉄道用ワイヤレス放送装置。
【請求項４】
ワイヤレス放送装置（３１）において、ワイヤレスマイクから発射される音声高周波信号と制御高周波信号を受信するためのアンテナ（４１）をアンテナ共用器（３２）に接続し、該アンテナ共用器（３２）から分離出力された音声高周波信号をワイヤレス受信部（３３）に接続し、また、該ワイヤレス受信部（３３）から出力された音声信号を増幅するため拡声アンプ（３５）及びスピーカー（３７）を接続し、また、アンテナ共用器（３２）から分離出力された制御高周波信号を制御用受信部（３４）に接続し、該制御用受信部（３４）から出力される制御信号を表示コントロール部（３６）を経由して表示器（３８）に接続し、更に、監視カメラ（４０）をカメラコントロール部（３９）に接続し、該カメラコントロール部（３９）から出力される非常信号を表示コントロール部（３６）及び拡声アンプ（３５）に接続し、前記各ブロックを同一筐体内に収納して構成したことを特徴とする、鉄道用ワイヤレス放送装置。
【請求項５】
ワイヤレスマイク（４２）において、制御信号をワイヤレス放送装置（５０）に送信するための制御用スイッチ（４３）を制御用送信部（４４）に接続し、また、音声信号をワイヤレス放送装置（５０）に送信するためのマイクユニット（４６）をマイクアンプ（４７）及びワイヤレス送信部（４８）に接続し、該ワイヤレス送信部（４８）から出力される音声高周波信号と前記制御用送信部（４４）から出力される制御高周波信号をアンテナ共用器（４５）に接続し、更にアンテナ（４９）を接続し、前記各ブロックを同一筐体内に収納して構成し、
また、ワイヤレス放送装置（５０）において、ワイヤレスマイクから発射される音声高周波信号と制御高周波信号を受信するためのアンテナ（５９）をアンテナ共用器（５１）に接続し、該アンテナ共用器（５１）から分離出力された音声高周波信号をワイヤレス受信部（５６）に接続し、また、該ワイヤレス受信部（５６）から出力された音声信号を増幅するため拡声アンプ（５７）及びスピーカー（５８）を接続し、また、アンテナ共用器（５１）から分離出力された制御高周波信号を制御用受信部（５２）に接続し、該制御用受信部（５２）から出力される制御信号を表示／カメラコントロール部（５３）を経由して表示器（５４）及びパンチルトカメラ（５５）に接続し、前記各ブロックを同一筐体内に収納して構成したことを特徴とする、鉄道用ワイヤレス放送装置。
【発明の詳細な説明】
【０００１】
【発明の属する技術分野】
本発明は、鉄道の駅ホームやコンコース等におけるホーム乗降客への各種案内や注意放送をするためのワイヤレス放送に関し、特にワイヤレス受信機とスピーカーの一体化によるワイヤレス放送装置の能率向上と、更にはパンチルトカメラとの一体化による安全確認の視認向上を図った、鉄道用ワイヤレス放送装置に関するものである。
【０００２】
【従来の技術】
従来、鉄道（例えばＪＲや地下鉄等）の駅ホームやコンコース等において、乗降客に対し各種案内や注意放送をするためにワイヤレス放送が行われている。また、乗降客の安全確認のため監視カメラによる状況確認が行われている。
【０００３】
【発明が解決しようとする課題】
しかしながら、従来の鉄道用ワイヤレス放送装置においては、ワイヤレス受信機とアンプが放送室に設置され、アンテナとスピーカーは駅ホーム内に設置されるため、受信系の同軸ロスとスピーカー系のハイインピーダンス化等の能率劣化の問題点があった。また、従来の鉄道用ワイヤレス放送装置においては、ワイヤレス受信信号がなくなると自動放送を起動するシステムを採っているため、ダイヤの乱れや緊急時等において自動放送の内容変更が容易にできないという問題点があった。また、従来の鉄道用ワイヤレス放送装置においては、スピーカーと監視カメラとは分離して設置されるため、複数の機器構成による美観及び施工の悪化と、混雑時や緊急時における安全確認のための監視カメラの角度制御が容易にできないといった数々の問題点があった。
【０００４】
本発明は、以上のような問題点を解決するために構成されたものであり、鉄道の駅ホームやコンコース等において、乗降客に対し各種案内や注意放送をするためのワイヤレス放送装置において同軸ロスやハイインピーダンス化を解消することにより装置の能率向上を図り、乗降客の安全確認のための監視カメラにおいて機器構成の簡素化と視認向上を図ることができる、鉄道用ワイヤレス放送装置を提供することを目的とする。
【０００５】
【課題を解決するための手段】
本発明の鉄道用ワイヤレス放送装置の請求項１における手段として、ワイヤレス放送装置１において、ワイヤレスマイクから発射される音声信号を受信するためのアンテナ７をワイヤレス受信部２に接続し、該ワイヤレス受信部２から出力される音声信号を音声スイッチ部３と音声コントロール部４に接続する。また、音声スイッチ部３から出力された音声信号を増幅するため拡声アンプ５及びスピーカー６を接続し、前記各ブロックを同一筐体内に収納して構成する。また、音声コントロール部４から出力された音声信号と音声制御信号とを、音声制御ケーブル８を経由して複数のワイヤレス放送装置１’間に接続する。
【０００６】
また、本発明の鉄道用ワイヤレス放送装置の請求項２における手段として、ワイヤレス放送装置１において、ワイヤレスマイクから発射される音声信号を受信するためのアンテナ７をワイヤレス受信部２に接続し、該ワイヤレス受信部２から出力される音声信号を音声スイッチ部３と音声コントロール部４に接続する。また、音声スイッチ部３から出力された音声信号を増幅するため拡声アンプ５及びスピーカー６を接続する。更に、音声リンク用のアンテナ１１を音声リンク用送信部９と音声リンク用受信部１０に接続し、音声コントロール部４から出力される音声リンク用の音声信号を音声リンク用送信部９に接続し、音声リンク用受信部１０から出力されるリンク用の音声信号を音声コントロール部４に接続し、前記各ブロックを同一筐体内に収納して構成する。
【０００７】
また、本発明の鉄道用ワイヤレス放送装置の請求項３における手段として、ワイヤレスマイク１２において、制御信号をワイヤレス放送装置２０に送信するための制御用スイッチ１３を制御用送信部１４に接続し、該制御用送信部１４に制御送信用のアンテナ１８を接続する。また、音声信号をワイヤレス放送装置２０に送信するためのマイクユニット１５をマイクアンプ１６及びワイヤレス送信部１７に接続し、該ワイヤレス送信部１７に音声送信用のアンテナ１９を接続し、前記各ブロックを同一筐体内に収納して構成する。また、ワイヤレス放送装置２０において、ワイヤレスマイク１２から発射される音声信号を受信するための音声受信用のアンテナ２９をワイヤレス受信部２１に接続し、該ワイヤレス受信部２１から出力される音声信号を音声スイッチ部２２と自動放送部２３に接続する。また、音声スイッチ２２から出力された音声信号を増幅するため拡声アンプ２４及びスピーカー２５を接続する。更に、ワイヤレスマイク１２から発射される制御信号を受信するための制御受信用のアンテナ３０を制御用受信部２６に接続し、該制御用受信部２６から出力される制御信号を放送コントロール部２７を経由して自動放送部２３と表示器２８に接続し、前記各ブロックを同一筐体内に収納して構成する。
【０００８】
また、本発明の鉄道用ワイヤレス放送装置の請求項４における手段として、ワイヤレス放送装置３１において、ワイヤレスマイクから発射される音声高周波信号と制御高周波信号を受信するためのアンテナ４１をアンテナ共用器３２に接続し、該アンテナ共用器３２から分離出力された音声信号をワイヤレス受信部３３に接続する。また、該ワイヤレス受信部３３から出力された音声高周波信号を増幅するため拡声アンプ３５及びスピーカー３７を接続する。また、アンテナ共用器３２から分離出力された制御高周波信号を制御用受信部３４に接続し、該制御用受信部３４から出力される制御信号を表示コントロール部３６を経由して表示器３８に接続する。更に、監視カメラ４０をカメラコントロール部３９に接続し、該カメラコントロール部３９から出力される非常信号を表示コントロール部３６及び拡声アンプ３５に接続し、前記各ブロックを同一筐体内に収納して構成する。
【０００９】
また、本発明の鉄道用ワイヤレス放送装置の請求項５における手段として、ワイヤレスマイク４２において、制御信号をワイヤレス放送装置５０に送信するための制御用スイッチ４３を制御用送信部４４に接続する。また、音声信号をワイヤレス放送装置５０に送信するためのマイクユニット４６をマイクアンプ４７及びワイヤレス送信部４８に接続する。そして、該ワイヤレス送信部４８から出力される音声高周波信号と前記制御用送信部４４から出力される制御高周波信号をアンテナ共用器４５に接続し、更にアンテナ４９を接続し、前記各ブロックを同一筐体内に収納して構成する。また、ワイヤレス放送装置５０において、ワイヤレスマイクから発射される音声高周波信号と制御高周波信号を受信するためのアンテナ５９をアンテナ共用器５１に接続し、該アンテナ共用器５１から分離出力された音声高周波信号をワイヤレス受信部５６に接続する。また、該ワイヤレス受信部５６から出力された音声信号を増幅するため拡声アンプ５７及びスピーカー５８を接続する。また、アンテナ共用器３２から分離出力された制御高周波信号を制御用受信部５２に接続し、該制御用受信部５２から出力される制御信号を表示／カメラコントロール部５３を経由して表示器５４及びパンチルトカメラ５５に接続し、前記各ブロックを同一筐体内に収納して構成する。
【００１０】
【発明の実施の形態及び実施例】
請求項１における発明の実施の形態及び実施例を、図１の本発明の鉄道用ワイヤレス放送装置における第一実施例の回路ブロック図と、図２の本発明の鉄道用ワイヤレス放送装置における第一実施例の斜視図に基づいて説明する。
【００１１】
該図に示すように、ワイヤレス放送装置１はワイヤレス受信機とスピーカー６を一体化させた装置であり、ワイヤレス受信部２にワイヤレスマイクから発射される音声信号を受信するためのアンテナ７を接続し、該ワイヤレス受信部２から出力される音声信号を音声スイッチ部３と音声コントロール部４に接続し、更に音声スイッチ部３から出力された音声信号を増幅するため拡声アンプ５及びスピーカー６を接続して構成する。また、音声コントロール部４から出力された音声信号と音声制御信号とを、音声制御ケーブル８を経由して他のワイヤレス放送装置１’を始め複数のワイヤレス放送装置に接続する。
【００１２】
次に、実施例として運用動作について説明する。まず、ワイヤレス放送装置１の近くにいる駅員がワイヤレスマイクで音声送信を行うと、該音声信号はアンテナ７及びワイヤレス受信部２で受信され、該ワイヤレス受信部２により音声信号と音声制御信号に復調される。音声受信が行えたワイヤレス放送装置１は、音声制御信号により音声コントロール部４より音声スイッチ部３をＯＮにし、音声信号を拡声アンプ５で増幅した後スピーカー６より拡声出力する。また、音声コントロール部４は音声制御ケーブル８側にも音声信号を出力する。ここで、他のワイヤレス放送装置１’が前記ワイヤレスマイクからの音声信号を受信できなかった場合、音声コントロール部４’は音声制御ケーブル８からの音声信号を有効にするため音声スイッチ部３’をＯＮにし、音声信号を拡声アンプ５’で増幅した後スピーー６’より拡声出力する。
【００１３】
上記実施例によれば、ワイヤレス受信機１とスピーカー６が一体型のため、アンテナからの同軸ケーブルを配線する必要がなく、更に、スピーカー６と拡声アンプ５間を長く配線する必要がないため、ワイヤレス放送装置１の能率向上が図れることになる。また、駅ホームやコンコース等内の全エリアに一斉放送する場合、ワイヤレスマイクからの音声信号が届かない場所に設置されているワイヤレス放送装置１においても、音声制御ケーブル８でリンクを張ることにより一斉放送が可能となる。
【００１４】
次に、請求項２における発明の実施の形態及び実施例を、図３の本発明の鉄道用ワイヤレス放送装置における第二実施例の回路ブロック図と、図４の本発明の鉄道用ワイヤレス放送装置における第二実施例の斜視図に基づいて説明する。
【００１５】
該図に示すように、ワイヤレス放送装置１はワイヤレス受信機とスピーカー６を一体化させた装置であり、ワイヤレス受信部２にワイヤレスマイクから発射される音声信号を受信するためのアンテナ７を接続し、該ワイヤレス受信部２から出力される音声信号を音声スイッチ部３と音声コントロール部４に接続し、更に音声スイッチ部３から出力された音声信号を増幅するため拡声アンプ５及びスピーカー６を接続し、更に音声リンク用のアンテナ１１を音声リンク用送信部９と音声リンク用受信部１０に接続し、音声コントロール部４から出力される音声リンク用の音声信号を音声リンク用送信部９に接続し、音声リンク用受信部１０から出力されるリンク用の音声信号を音声コントロール部４に接続して構成する。
【００１６】
次に、実施例として運用動作について説明する。まず、ワイヤレス放送装置１の近くにいる駅員がワイヤレスマイクで音声送信を行うと、該音声信号はアンテナ７及びワイヤレス受信部２で受信され、該ワイヤレス受信部２により音声信号と音声制御信号に復調される。音声受信が行えたワイヤレス放送装置１は、音声制御信号により音声コントロール部４より音声スイッチ部３をＯＮにし、音声信号を拡声アンプ５で増幅した後スピーカー６より拡声出力する。また、音声コントロール部４は音声リンク用送信部９をＯＮにし、アンテナ１１より音声信号を出力する。ここで、他のワイヤレス放送装置１’が前記ワイヤレスマイクからの音声信号を受信できなかった場合、音声コントロール部４’はアンテナ１１’及び音声リンク用受信部１０’で受信した音声信号を有効にするため音声スイッチ部３’をＯＮにし、音声信号を拡声アンプ５’で増幅した後スピーカー６’より拡声出力する。
【００１７】
上記実施例によれば、ワイヤレス受信機１とスピーカー６が一体型のため、アンテナからの同軸ケーブルを配線する必要がなく、更に、スピーカー６と拡声アンプ５間を長く配線する必要がないため、ワイヤレス放送装置１の能率向上が図れることになる。また、駅ホームやコンコース等内の全エリアに一斉放送する場合、ワイヤレスマイクからの音声信号が届かない場所に設置されているワイヤレス放送装置１においても、音声リンク用送信部９及び音声リンク用受信部１０でリンクを張ることにより一斉放送が可能となる。また、第一実施例の場合と異なりケーブル配線が不要となるため、コスト低減が図れると共にワイヤレス放送装置１の設置場所の制限もなくなる。
【００１８】
次に、請求項３における発明の実施の形態及び実施例を、図５の本発明の鉄道用ワイヤレス放送装置における第三実施例の回路ブロック図に基づいて説明する。
【００１９】
該図に示すように、ワイヤレスマイク１２は制御用スイッチ１３とマイクユニット１５を一体化させた装置であり、制御信号をワイヤレス放送装置２０に送信するための制御用スイッチ１３を制御用送信部１４に接続し、該制御用送信部１４に制御送信用のアンテナ１８を接続し、更に音声信号をワイヤレス放送装置２０に送信するためのマイクユニット１５をマイクアンプ１６及びワイヤレス送信部１７に接続し、該ワイヤレス送信部１７に音声送信用のアンテナ１９を接続して構成する。また、ワイヤレス放送装置２０はワイヤレス受信機とスピーカー２５及び制御受信機と表示器２８を一体化させた装置であり、ワイヤレス受信部２１にワイヤレスマイク１２から発射される音声信号を受信するための音声受信用のアンテナ２９を接続し、該ワイヤレス受信部２１から出力される音声信号を音声スイッチ部２２と自動放送部２３に接続し、更に音声スイッチ２２から出力された音声信号を増幅するため拡声アンプ２４及びスピーカー２５を接続する。更に、制御用受信部２６にワイヤレスマイク１２から発射される制御信号を受信するための制御受信用のアンテナ３０を接続し、該制御用受信部２６から出力される制御信号を放送コントロール部２７を経由して自動放送部２３と表示器２８に接続して構成する。
【００２０】
次に、実施例として運用動作について説明する。まず、駅員が通常のワイヤレス放送を行う場合、ワイヤレスマイク１２より音声送信を行うと、音声信号はマイクユニット１５及びマイクアンプ１６を経由してワイヤレス送信部１７及びアンテナ１９より送信される。該音声信号はワイヤレス放送装置２０のアンテナ２９及びワイヤレス受信部２１で受信され、該ワイヤレス受信部２１により音声信号に復調される。この時、音声スイッチ２２はワイヤレス側に設定され、音声信号を拡声アンプ２４で増幅した後スピーカー２５より拡声出力する。ワイヤレス放送を終了した場合、音声スイッチ２２は自動放送側に設定され、予め選択された音声プログラムで自動放送を行う。ここで、事故等によるダイヤの乱れや緊急事態が発生した場合、ワイヤレスマイク１２の制御用スイッチ１３の操作により自動放送の内容変更の指示を行うと、該制御信号は制御用送信部１４及びアンテナ１８より送信される。該制御信号はワイヤレス放送装置２０のアンテナ３０及び制御用受信部２６で受信され、該制御用受信部２６により制御信号に復調される。この時、放送コントロール部２７より自動放送部２３の音声プログラムを一時的に変更し、駅員によるワイヤレス放送を行うことができる。また、表示器２８によりダイヤ変更や緊急事態を知らせることもできる。
【００２１】
上記実施例によれば、制御用スイッチ１３とマイクユニット１５及びその周辺回路を一体化させたワイヤレスマイク１２により、事故等によるダイヤの乱れや緊急事態が発生した場合における自動放送のプログラム変更を遠隔操作することができるため、的確な案内を行うことができる。また、駅員が一人で対応できるため、安全を確保しつつ人員削減を図ることができる。
【００２２】
次に、請求項４における発明の実施の形態及び実施例を、図６の本発明の鉄道用ワイヤレス放送装置における第四実施例の回路ブロック図と、図７の本発明の鉄道用ワイヤレス放送装置における第四実施例の斜視図に基づいて説明する。
【００２３】
該図に示すように、ワイヤレス放送装置３１はワイヤレス受信機とスピーカー３７及び制御受信機と表示器３８及び監視カメラ４０を一体化させた装置であり、アンテナ共用器３２にワイヤレスマイクから発射される音声高周波信号と制御高周波信号を受信するためのアンテナ４１を接続し、該アンテナ共用器３２から分離出力された音声高周波信号をワイヤレス受信部３３に接続し、更に、該ワイヤレス受信部３３から出力された音声信号を増幅するため拡声アンプ３５及びスピーカー３７を接続する。また、アンテナ共用器３２から分離出力された制御高周波信号を制御用受信部３４に接続し、該制御用受信部３４から出力される制御信号を表示コントロール部３６を経由して表示器３８に接続する。更に、監視カメラ４０をカメラコントロール部３９に接続し、該カメラコントロール部３９から出力される非常信号を表示コントロール部３６及び拡声アンプ３５に接続して構成する。
【００２４】
次に、実施例として運用動作について説明する。まず、通常時においてワイヤレス放送装置３１は第三実施例で示したワイヤレスマイク１２により音声高周波信号を送信することによるワイヤレス放送や、制御高周波信号を送信することによる列車運行表示を行っている。また、監視カメラ４０は駅ホームや線路等の監視を常時行っている。次に、該監視カメラ４０が駅ホームから人や物が線路に落下したことなどを撮影すると、カメラコントロール部３９は画像処理を行った後非常事態として判断し、表示コントロール部３６に非常信号を出力して表示器３８にて非常事態表示を行い、拡声アンプ３５に警報信号を出力してスピーカー３７より警報音を出力する。
【００２５】
上記実施例によれば、監視カメラ４０が駅ホームや線路等の監視を常時行っているため、駅員が不在の場合でも表示器３８による非常事態表示やスピーカー３７による警報音出力を自動で行うことができる。また、監視カメラ４０がワイヤレス放送装置３１と一体化されているため機器構成が簡素化される。
【００２６】
次に、請求項５における発明の実施の形態及び実施例を、図８の本発明の鉄道用ワイヤレス放送装置における第五実施例の回路ブロック図と、図９の本発明の鉄道用ワイヤレス放送装置における第五実施例の斜視図に基づいて説明する。
【００２７】
該図に示すように、ワイヤレスマイク４２は制御用スイッチ４３とマイクユニット４６を一体化させた装置であり、制御信号をワイヤレス放送装置５０に送信するための制御用スイッチ４３を制御用送信部４４に接続し、更に音声信号をワイヤレス放送装置５０に送信するためのマイクユニット４６をマイクアンプ４７及びワイヤレス送信部４８に接続し、該ワイヤレス送信部４８から出力される音声高周波信号と前記制御用送信部４４から出力される制御高周波信号をアンテナ共用器４５に接続し、更にアンテナ４９を接続して構成する。また、ワイヤレス放送装置５０はワイヤレス受信機とスピーカー５８及び制御受信機と表示器５４及びパンチルトカメラ５５を一体化させた装置であり、アンテナ共用器５１にワイヤレスマイクから発射される音声高周波信号と制御高周波信号を受信するためのアンテナ５９を接続し、該アンテナ共用器５１から分離出力された音声高周波信号をワイヤレス受信部５６に接続し、更に、該ワイヤレス受信部５６から出力された音声信号を増幅するため拡声アンプ５７及びスピーカー５８を接続する。また、アンテナ共用器３２から分離出力された制御高周波信号を制御用受信部５２に接続し、該制御用受信部５２から出力される制御信号を表示／カメラコントロール部５３を経由して表示器５４及びパンチルトカメラ５５に接続して構成する。
【００２８】
次に、実施例として運用動作について説明する。まず、通常時において第四実施例と同様にワイヤレス放送装置５０はワイヤレスマイク４２により音声高周波信号を送信することによるワイヤレス放送や、制御高周波信号を送信することによる列車運行表示を行っている。また、パンチルトカメラ５５は駅ホームの監視を常時行っている。次に、駅ホームの混雑時や曲線形ホームの場合、駅員が案内放送中に駅ホームに設置されたモニターＴＶを見ても死角部において乗降客の安全が確認できない時がある。この場合、駅員はワイヤレスマイク４２の制御用スイッチ４３を操作してパンチルトカメラ５５を上下左右に旋回させ死角部にいる乗降客の安全を確認することができる。
【００２９】
上記実施例によれば、駅員が駅ホームに設置されたモニターＴＶ周辺において案内放送や列車運行の表示制御及び監視カメラの角度制御を行えるため視認性が向上し、緊急非常時でも迅速且つ集中的に乗降客の誘導が行え、駅ホームでの安全な列車運行が行える。
【００３０】
【発明の効果】
以上述べたように、本発明の鉄道用ワイヤレス放送装置は、ワイヤレス受信機とスピーカーが一体型の場合、アンテナからの同軸ケーブルを配線する必要がなく、更に、スピーカーと拡声アンプ間を長く配線する必要がないため、同軸ロスやハイインピーダンス化を解消することにより装置の能率向上を図れることになるという効果を奏する。また、ワイヤレス受信機とスピーカー及び制御受信機と表示器及び監視カメラが一体型の場合、機器構成の簡素化が図れると共に、該監視カメラがパンチルトカメラの場合は角度制御が自由に行えるため視認向上が図れるという効果を奏する。更には、自動放送機能を内蔵したワイヤレス放送装置であれば、事故等によるダイヤの乱れや緊急事態が発生した場合における自動放送のプログラム変更をワイヤレスマイクにより遠隔操作することができるため、的確な案内を行うことができるという効果も奏する。
【図面の簡単な説明】
【図１】本発明の鉄道用ワイヤレス放送装置における第一実施例の回路ブロック図である。
【図２】本発明の鉄道用ワイヤレス放送装置における第一実施例の斜視図である。
【図３】本発明の鉄道用ワイヤレス放送装置における第二実施例の回路ブロック図である。
【図４】本発明の鉄道用ワイヤレス放送装置における第二実施例の斜視図である。
【図５】本発明の鉄道用ワイヤレス放送装置における第三実施例の回路ブロック図である。
【図６】本発明の鉄道用ワイヤレス放送装置における第四実施例の回路ブロック図である。
【図７】本発明の鉄道用ワイヤレス放送装置における第四実施例の斜視図である。
【図８】本発明の鉄道用ワイヤレス放送装置における第五実施例の回路ブロック図である。
【図９】本発明の鉄道用ワイヤレス放送装置における第五実施例の斜視図である。
【符号の説明】
１  ワイヤレス放送装置
２  ワイヤレス受信部
３  音声スイッチ部
４  音声コントロール部
５  拡声アンプ
６  スピーカー
７  アンテナ
８  音声制御ケーブル
９  音声リンク用送信部
１０  音声リンク用受信部
１１  アンテナ
１２  ワイヤレスマイク
１３  制御用スイッチ
１４  制御用送信部
１５  マイクユニット
１６  マイクアンプ
１７  ワイヤレス送信部
１８  アンテナ
１９  アンテナ
２０  ワイヤレス放送装置
２１  ワイヤレス受信部
２２  音声スイッチ部
２３  自動放送部
２４  拡声アンプ
２５  スピーカー
２６  制御用受信部
２７  放送コントロール部
２８  表示器
２９  アンテナ
３０  アンテナ
３１  ワイヤレス放送装置
３２  アンテナ共用器
３３  ワイヤレス受信部
３４  制御用受信部
３５  拡声アンプ
３６  表示コントロール部
３７  スピーカー
３８  表示部
３９  カメラコントロール部
４０  監視カメラ
４１  アンテナ
４２  ワイヤレスマイク
４３  制御用スイッチ
４４  制御用送信部
４５  アンテナ共用器
４６  マイクユニット
４７  マイクアンプ
４８  ワイヤレス送信部
４９  アンテナ
５０  ワイヤレス放送装置
５１  アンテナ共用器
５２  制御用受信部
５３  表示／カメラコントロール部
５４  表示器
５５  パンチルトカメラ
５６  ワイヤレス受信部
５７  拡声アンプ
５８  スピーカー
５９  アンテナ
【図１】
2005014878.tif 000003
【図２】
2005014878.tif 000004
【図３】
2005014878.tif 000005
【図４】
2005014878.tif 000006
【図５】
2005014878.tif 000007
【図６】
2005014878.tif 000008
【図７】
2005014878.tif 000009
【図８】
2005014878.tif 000010
【図９】
2005014878.tif 000011